(57)【特許請求の範囲】
【請求項１】
建物躯体から跳ね出す跳出しバルコニーのバルコニー床を支持するバルコニー床の支持構造であって、
一対の袖壁が前記建物躯体に固定されており、該一対の袖壁の対向する内面に受材が対向して固定されており、この一対の受材にバルコニーの床を構成する床パネルがその上面を、建物内のバルコニーが設けられる階の床面より低くして設置されており、
前記袖壁は上階の床近傍までの高さを有する下壁パネルと、この下壁パネルの上端部の側端面に、前記下壁パネルより上方と前方に突出するようにして固定された上壁パネルとを備えていることを特徴とするバルコニー床の支持構造。
【請求項２】
建物躯体から跳ね出す跳出しバルコニーのバルコニー床を支持するバルコニー床の支持構造であって、
一対の袖壁が前記建物躯体に固定されており、該一対の袖壁の対向する内面に受材が対向して固定されており、この一対の受材にバルコニーの床を構成する床パネルがその上面を、建物内のバルコニーが設けられる階の床面より低くして設置されており、
前記受材は、バルコニーの奥行き方向に延在する角材によって構成されており、バルコニーの奥側から外側に向けて下方に傾斜するようにして前記袖壁の内面に固定されており、
前記袖壁は上階の床近傍までの高さを有する下壁パネルと、この下壁パネルの上端部の側端面に、前記下壁パネルより上方と前方に突出するようにして固定された上壁パネルとを備えていることを特徴とするバルコニー床の支持構造。
【請求項３】
請求項１または２に記載のバルコニー床の支持構造において、
前記下壁パネルと上壁パネルとは締結ボルトによって締結されていることを特徴とするバルコニー床の支持構造。
【請求項４】
請求項１〜３のいずれか一項に記載のバルコニーの支持構造において、
前記受材は前記下壁パネルと上壁パネルとに亙って固定されていることを特徴とするバルコニー床の支持構造。
【発明の詳細な説明】
【技術分野】
【０００１】
本発明は、建物躯体から跳ね出す跳出しバルコニーのバルコニー床を支持するバルコニー床の支持構造に関する。
【背景技術】
【０００２】
跳出しバルコニーのバルコニー床の支持構造の一例として特許文献１に記載のものが知られている。
このバルコニー床の支持構造は、バルコニーの両側に袖壁が立設されており、この袖壁間に２階バルコニーの床面が架設され、当該袖壁によってバルコニーの床面の荷重を受けるようにしたものである。
【特許文献１】特開２０００−２７３９４５号公報
【発明の開示】
【発明が解決しようとする課題】
【０００３】
ところで、前記特許文献１には、袖壁間にバルコニーの床面が支持されていると記載されているが、具体的にどうのように支持されているかは記載されていない。また、特許文献１には、バルコニーの床面を床パネルによって構成することについても何ら記載されていない。
したがって、特許文献１において、袖壁間にバルコニーの床面を架設する場合、例えば、袖壁間に根太を軸組みによって組み、この根太に床材を設けるといった通常の軸組み工法によってバルコニーの床面が架設されることが考えられる。
しかし、この場合、バルコニーの床面の施工に手間がかかるとともに、バルコニーの床面に水勾配を付けようとすると施工の手間がさらにかかる。
【０００４】
本発明は上記事情に鑑みてなされたもので、袖壁間にバルコニーの床を容易に支持することができるバルコニー床の支持構造を提供することを課題としている。
【課題を解決するための手段】
【０００５】
上記課題を解決するために、請求項１に記載の発明は、例えば図１〜図４に示すように、建物躯体１から跳ね出す跳出しバルコニーのバルコニー床を支持するバルコニー床の支持構造であって、
一対の袖壁５，５が前記建物躯体１に固定されており、該一対の袖壁５，５の対向する内面に受材１１，１１が対向して固定されており、この一対の受材１１，１１にバルコニーの床を構成する床パネル１３がその上面を、建物内のバルコニーが設けられる階の床面より低くして設置されており、
前記袖壁５は上階の床近傍までの高さを有する下壁パネル６と、この下壁パネル６の上端部の側端面に、前記下壁パネル６より上方と前方に突出するようにして固定された上壁パネル８とを備えていることを特徴とする。
【０００６】
請求項１に記載の発明によれば、建物躯体１に固定された一対の袖壁５，５の対向する内面に受材１１，１１が対向して固定されており、この一対の受材１１，１１に床パネル１３が設置されているので、袖壁５，５間に根太を軸組みによって組むといった手間がなくなり、袖壁５，５間にバルコニーの床を容易に支持することができる。
また、床パネル１３はその上面を建物内のバルコニー４が設けられる階の床面より低くして設置されているので、バルコニー４と室内との間にある壁に設ける窓をまたぎのない掃出し窓とすることができ、室内側からスムーズにバルコニー４へアクセスできる。
また、上壁パネル８が下壁パネル６より上方と前方に突出しているので、広い奥行き寸法の床パネル１３を支持することができ、よって、広い奥行き寸法のバルコニー床を設けることができる。また、下階には上壁パネル８がないので、つまり、上壁パネル８が下階まで延出していないので、下階において上壁パネル８が通行の妨げ等になることがない。
さらに、上壁パネル８と下壁パネル６とを予め工場等によって組み立てておくことにより、現場での組み立て作業を省略でき、また、上壁パネル８と下壁パネル６とを組み立ててなる大型異形壁パネルの表面に外装材を予め取り付けておくこともできる。
【０００７】
請求項２に記載の発明は、例えば図１〜図４に示すように、建物躯体１から跳ね出す跳出しバルコニーのバルコニー床を支持するバルコニー床の支持構造であって、
一対の袖壁５，５が前記建物躯体１に固定されており、該一対の袖壁５，５の対向する内面に受材１１，１１が対向して固定されており、この一対の受材１１，１１にバルコニーの床を構成する床パネル１３がその上面を、建物内のバルコニーが設けられる階の床面より低くして設置されており、
前記受材１１，１１は、バルコニーの奥行き方向に延在する角材によって構成されており、前記バルコニーの奥側から外側に向けて下方に傾斜するようにして前記袖壁５，５の内面に固定されており、
前記袖壁５は上階の床近傍までの高さを有する下壁パネル６と、この下壁パネル６の上端部の側端面に、前記下壁パネル６より上方と前方に突出するようにして固定された上壁パネル８とを備えていることを特徴とする。
【０００８】
請求項２に記載の発明によれば、建物躯体１に固定された一対の袖壁５，５の対向する内面に受材１１，１１が対向して固定されており、この一対の受材１１，１１に床パネル１３が設置されているので、袖壁５，５間に根太を軸組みによって組むといった手間がなくなり、袖壁５，５間にバルコニーの床を容易に支持することができる。
また、床パネル１３はその上面を建物内のバルコニー４が設けられる階の床面より低くして設置されているので、バルコニー４と室内との間にある壁に設ける窓をまたぎのない掃出し窓とすることができ、室内側からスムーズにバルコニー４へアクセスできる。
また、受材１１，１１がバルコニー４の奥側から外側に向けて下方に傾斜するようにして袖壁５，５の内面に固定されているので、この受材１１，１１に床パネル１３を設置することによって、床パネル１３の上面、すなわちバルコニー４の床の上面に水勾配を付けることができる。
また、上壁パネル８が下壁パネル６より上方と前方に突出しているので、広い奥行き寸法の床パネル１３を支持することができ、よって、広い奥行き寸法のバルコニー床を設けることができる。また、下階には上壁パネル８がないので、つまり、上壁パネル８が下階まで延出していないので、下階において上壁パネル８が通行の妨げ等になることがない。
さらに、上壁パネル８と下壁パネル６とを予め工場等によって組み立てておくことにより、現場での組み立て作業を省略でき、また、上壁パネル８と下壁パネル６とを組み立ててなる大型異形壁パネルの表面に外装材を予め取り付けておくこともできる。
【００１１】
請求項３に記載の発明は、請求項１または２に記載のバルコニー床の支持構造において、
前記下壁パネル６と上壁パネル８とは締結ボルト９によって締結されていることを特徴とする。
【００１２】
請求項３に記載の発明によれば、下壁パネル６と上壁パネル８とが締結ボルト９によって締結されているので、これら下壁パネル６と上壁パネル８とを強固に一体化でき、床パネル１３を確実に支持することができる。
【００１３】
請求項４に記載の発明は、請求項１〜３のいずれか一項に記載のバルコニーの支持構造において、
前記受材１１は前記下壁パネル６と上壁パネル８とに亙って固定されていることを特徴とする。
【００１４】
請求項４に記載の発明によれば、受材１１が下壁パネル６と上壁パネル８とに亙って固定されているので、この受材１１によっても下壁パネル６と上壁パネル８とを結合でき、また、床パネル１３を受材１１を介して下壁パネル６と上壁パネル８との双方で支持することができる。
【発明の効果】
【００１５】
本発明によれば、一対の袖壁が前記建物躯体に固定されており、該一対の袖壁の対向する内面に受材が対向して固定されており、この一対の受材にバルコニーの床を構成する床パネルがその上面を、建物内のバルコニーが設けられる階の床面より低くして設置されているので、袖壁間にバルコニーの床を容易に支持することができるとともに、バルコニーと室内との間にある壁に設ける窓をまたぎのない掃出し窓とすることができ、室内側からスムーズにバルコニーへアクセスできる。
【発明を実施するための最良の形態】
【００１６】
以下図面を参照して本発明の実施の形態について説明する。
図１および図２は本発明に係るバルコニー床の支持構造の一例を示す斜視図であり、図１は床パネルを設置する前の状態を示し、図２は床パネルを設置した状態を示している。また、図３は本発明に係るバルコニー床の支持構造の一例を示す縦断面であり、図４は同、袖壁を示す縦断面図である。
【００１７】
図１〜図３において、符号１は建物躯体を示す。この建物躯体１は壁パネルや床パネルを現場で組み立てる、いわゆるパネル工法で構築されたものである。なお、壁パネルや床パネルは框材を矩形枠状に組み立てて矩形枠を形成するとともに、この矩形枠の内部に補強桟材を縦横に組み付け、さらに、矩形枠の少なくとも一方の面に合板からなる面材を取り付けて形成されたものである。
【００１８】
建物躯体１の２階の床２は複数の床パネル３を敷設することによって形成されており、この床２に隣接してバルコニー４が設けられている。このバルコニー４は建物躯体１から跳ね出す跳出しバルコニーであり、該バルコニーを設ける部位には、一対の袖壁５，５が建物躯体１に固定されている。
袖壁５は、２階（上階）の床３の近傍までの高さを有する下壁パネル６と、この下壁パネル６の側端面に固定された柱状部材７と、この柱状部材７を介して下壁パネル６の上端部の側端面に固定された上壁パネル８とを備えている。
【００１９】
下壁パネル６は、図４に示すように、框材６ａ，６ｂを矩形枠状に組み立てて矩形枠を形成するとともに、この矩形枠の内部に補強桟材６ｃ，６ｄを縦横に組み付け、さらに、矩形枠の両面に合板からなる面材６ｅを取り付けて形成されたものであり、上下に長尺な木質の壁パネルである。
柱状部材７は、上下に長尺な角材で形成されたものであり、その高さは下壁パネル６と等しくなっている。また、柱状部材７の厚さは下壁パネル６の厚さと等しくなっている。
上壁パネル８は、框材８ａ，８ｂを矩形枠状に組み立てて矩形枠を形成するとともに、この矩形枠の内部に補強桟材８ｃ，８ｄを縦横に組み付け、さらに、矩形枠の両面に合板からなる面材８ｅを取り付けて形成されたものであり、長方形状の木質の壁パネルである。なお、上壁パネル８の厚さは、柱状部材７の厚さと等しくなっている。
また、上壁パネル８は、下壁パネル６より上方と前方（図４では左方）に突出するようにして固定されている。
さらに、下壁パネル６と上壁パネル８とは柱状部材７を挟んで締結ボルト９・・・によって締結されている。
【００２０】
上記のような下壁パネル６、柱状部材７、上壁パネル８で形成された異形の大型壁パネルで構成された袖壁５は、予め工場等で組み立てられ、図４に示すような形状で現場に搬送され、現場で建物躯体１に固定される。また、袖壁５を構成する大型壁パネルには、予め工場等で外装材を取り付けておいてもよい。
【００２１】
前記袖壁５を構成する下壁パネル６の一方の側端部は、建物躯体１を構成する壁パネル１ａに接合固定され、他方の側端部は柱状部材７を介して、壁パネル１ｂに接合固定されている。また、上壁パネル８の上端部の側端部は、２階の壁パネル１ｅに柱状部材１ｆを介して接合固定されている。
また、一対の袖壁５の対向する内面には受材１１，１１が対向して固定されている。受材１１はバルコニー４の奥行き方向に延在する角材によって構成されており、バルコニー４の奥側から外側に向けて下方に傾斜するようにして袖壁５の内面に固定されている。また、受材１１は下壁パネル６、柱状部材７、上壁パネル８に亙って固定されている。
また、１階の壁パネル１ａ，１ａ、小壁パネル１ｃには、受材１２が前記受材１１の基端部と高さを揃えて固定されており、受材１２の両端部は受材１１，１１の基端部にそれぞれ接合されている。
【００２２】
前記受材１１，１２にはバルコニーの床を構成する床パネル１３がその上面を、建物内のバルコニー４が設けられる２階の床面より低くして設置されている。
床パネル１３は、框材を矩形枠状に組み立てて矩形枠を形成するとともに、この矩形枠の内部に補強桟材を縦横に組み付け、さらに、矩形枠の上面に合板からなる面材を取り付けて形成されたものである。なお、この床パネル１３は、前記２階の床パネル３より短辺の長さが長いため、２枚の床パネルを接合することによって構成されている。
床パネル１３の側端部下面には、受材１１，１１に係合する係合溝１３ａ，１３ａが形成されており、基端部下面には受材１２に係合する係合溝１３ｂが形成されている。そして、床パネル１３はその係合溝１３ａ，１３ａを受材１１，１１に係合するとともに、係合溝１３ｂを受材１２に係合することによって、該受材１１，１１，１２に設置されている。
この状態において、バルコニー床を構成する床パネル１３の上面は、２階の床面より低くなっており、また、バルコニー４の奥側から外側に向けて下方に傾斜するようにして水勾配が付けられている。
また、図３に示すように、前記袖壁５を構成する上壁パネル８，８の前端部には、バルコニー４の手摺壁を構成する壁パネル１４が接合固定されている。
【００２３】
上記のようなバルコニー床の支持構造を施工する場合、まず、下壁パネル６、柱状部材７、上壁パネル８で形成された異形の大型壁パネルで構成された袖壁５を、予め工場等で組み立てておき、この袖壁５を現場に搬送する。
そして現場では、袖壁５を構成する下壁パネル６の一方の側端部を、建物躯体１を構成する壁パネル１ａに接合固定し、他方の側端部に柱状部材７を介して、壁パネル１ｂを接合固定する。また、上壁パネル８の上端部の側端部を２階の壁パネル１ｅに柱状部材１ｆを介して接合固定する。このようにして、袖壁５を建物躯体に固定する。
【００２４】
次に、現場で袖壁５，５の対向する内面に受材１１をバルコニー４の奥側から外側に向けて下方に傾斜するようにして固定するとともに、１階の壁パネル１ａ，１ａ、小壁パネル１ｃに、受材１２を受材１１，１１の基端部と高さを揃えて固定し、さらに、受材１２両端部を受材１１，１１の基端部にそれぞれ接合する。なお、受材１１は袖壁５に予め工場等において固定しておいてもよい。
次に、床パネル１３を、その係合溝１３ａ，１３ａを受材１１，１１に係合するとともに、係合溝１３ｂを受材１２に係合することによって、該受材１１，１１，１２に設置すする。これによって、バルコニー床を構成する床パネル１３の上面が、２階の床面より低くなり、また、バルコニー４の奥側から外側に向けて下方に傾斜するようにして水勾配が付けられる。
【００２５】
本実施の形態によれば、建物躯体１に固定された一対の袖壁５，５の対向する内面に受材１１，１１が対向して固定されており、この一対の受材１１，１１に床パネル１３が設置されているので、袖壁５，５間に根太を軸組みによって組むといった手間がなくなり、袖壁５，５間にバルコニーの床を容易に支持することができる。
また、床パネル１３はその上面を建物内のバルコニー４が設けられる２階の床面より低くして設置されているので、バルコニー４と室内との間にある壁に設ける窓をまたぎのない掃出し窓とすることができ、室内側からスムーズにバルコニー４へアクセスできる。
【００２６】
また、上壁パネル８が下壁パネル６より上方と前方に突出しているので、広い奥行き寸法の床パネル１３を支持することができ、よって、広い奥行き寸法のバルコニー床を設けることができる。また、１階には上壁パネル８がないので、つまり、上壁パネル８が下階まで延出していないので、下階において上壁パネル８が通行の妨げ等になることがない。
さらに、上壁パネル６、柱状部材７、下壁パネル８を予め工場等によって組み立てておくことにより、現場での組み立て作業を省略でき、また、上壁パネル６、柱状部材７、下壁パネル８を組み立ててなる大型異形壁パネルの表面に外装材を予め取り付けておくこともできる。
【００２７】
また、下壁パネル６と上壁パネル８とが柱状部材７を挟んで締結ボルト９によって締結されているので、これら下壁パネル６、柱状部材７、上壁パネル８を強固に一体化でき、床パネル１３を確実に支持することができる。
また、受材１１が下壁パネル６、柱状部材７、上壁パネル８に亙って固定されているので、この受材１１によっても下壁パネル６と上壁パネル８とを柱状部材７を挟んで結合でき、また、床パネル１３を受材１１を介して下壁パネル６、柱状部材７、下壁パネル８で支持することができる。
【図面の簡単な説明】
【００２８】
【図１】本発明に係るバルコニー床の支持構造の一例を示すもので、床パネルを設置する前の状態を示す斜視図である。
【図２】同、床パネルを設置した状態を示す斜視図である。
【図３】同、縦断面図である。
【図４】同、袖壁を示す縦断面図である。
【符号の説明】
【００２９】
１  建物躯体
４  バルコニー
５  袖壁
６  下壁パネル
８  上壁パネル
９  締結ボルト
１１  受材
１３  床パネル
【図１】
0005091580.tif 000002
【図２】
0005091580.tif 000003
【図３】
0005091580.tif 000004
【図４】
0005091580.tif 000005